(57)【特許請求の範囲】
【請求項１】
楽曲のカラオケ演奏を行う際、当該楽曲に対応する背景映像を表示手段に表示させるカラオケ装置であって、
予約された楽曲に対し、カラオケ演奏を最後まで行う通常演奏モード、または楽曲のカラオケ演奏を途中で中止し、次に予約された楽曲のカラオケ演奏を開始する短縮演奏モードを設定する設定部と、
予約された第１の楽曲に対して前記短縮演奏モードが設定されている場合、当該第１の楽曲のカラオケ演奏中は当該第１の楽曲に対応する背景映像を表示手段に表示させ、当該第１の楽曲のカラオケ演奏の中止後、当該表示手段の表示領域を分割し、分割した一の表示領域に当該第１の楽曲に対応する背景映像を引き続き表示させ、且つ分割した他の表示領域に当該第１の楽曲の次に予約された第２の楽曲に対応する背景映像を表示させる表示制御部と、
を有するカラオケ装置。
【請求項２】
前記表示制御部は、前記第１の楽曲に対応する背景映像の終了後、前記表示領域の分割を終了し、前記第２の楽曲に対応する背景映像のみを前記表示手段に表示させることを特徴とする請求項１記載のカラオケ装置。
【請求項３】
前記表示制御部は、前記第１の楽曲に対応する背景映像が終了する前に前記第２の楽曲のカラオケ演奏が終了し、且つ前記第２の楽曲の次に予約された第３の楽曲のカラオケ演奏を開始する場合、当該第３の楽曲に対応する背景映像を前記他の表示領域に表示させることを特徴とする請求項１または２記載のカラオケ装置。
【請求項４】
楽曲のカラオケ演奏を行う際、当該楽曲に対応する背景映像を表示手段に表示させるカラオケ装置であって、
予約された楽曲に対し、カラオケ演奏を最後まで行う通常演奏モード、または楽曲のカラオケ演奏を途中で中止し、次に予約された楽曲のカラオケ演奏を開始する短縮演奏モードを設定する設定部と、
予約された第１の楽曲に対して前記短縮演奏モードが設定されている場合、当該第１の楽曲のカラオケ演奏中は当該第１の楽曲に対応する背景映像を一の表示手段に表示させ、当該第１の楽曲のカラオケ演奏の中止後、当該第１の楽曲の次に予約された第２の楽曲に対応する背景映像を当該一の表示手段に表示させ、当該一の表示手段とは異なる他の表示手段に当該第１の楽曲に対応する背景映像を引き続き表示させる表示制御部と、
を有するカラオケ装置。
【発明の詳細な説明】
【技術分野】
【０００１】
本発明はカラオケ装置に関する。
【背景技術】
【０００２】
カラオケ装置は、楽曲のカラオケ演奏を行う際に、モニタに背景映像を表示させることができる。背景映像としては、楽曲を歌唱するアーティストのＰＶやライブ映像のような本人映像、風景を撮影した映像、ＣＧによる映像、或いはアダルト向け映像のようなナイトコンテンツなど様々な映像が存在する。
【０００３】
また、カラオケボックス等ではカラオケ装置の利用時間が決まっている。よって、利用者は、限られた時間内に、できるだけ多くの楽曲を歌唱したいと考える。そのような利用者のために、楽曲の演奏時間を短縮できるカラオケ装置が知られている。
【０００４】
たとえば、特許文献１には、伴奏演奏やディスプレイの表示内容を含めてスキップする機能や、演奏及び画像表示をフェードアウトさせて中断終了させる機能を備えたカラオケ装置が開示されている。
【先行技術文献】
【特許文献】
【０００５】
【特許文献１】特開平６−１２４０９４号公報
【発明の概要】
【発明が解決しようとする課題】
【０００６】
しかしながら、特許文献１の技術を用いる場合、カラオケ演奏の中止と共に背景映像の表示も中止されるため、ストーリー性のある映像やナイトコンテンツ等を楽しんでいた聴衆にとっては不満が残ることとなる。
【０００７】
本発明の目的は、楽曲が短縮演奏された場合であっても、当該楽曲の背景映像を最後まで鑑賞することが可能なカラオケ装置を提供することにある。
【課題を解決するための手段】
【０００８】
上記目的を達成するための一の発明は、楽曲のカラオケ演奏を行う際、当該楽曲に対応する背景映像を表示手段に表示させるカラオケ装置であって、予約された楽曲に対し、カラオケ演奏を最後まで行う通常演奏モード、または楽曲のカラオケ演奏を途中で中止し、次に予約された楽曲のカラオケ演奏を開始する短縮演奏モードを設定する設定部と、予約された第１の楽曲に対して前記短縮演奏モードが設定されている場合、当該第１の楽曲のカラオケ演奏中は当該第１の楽曲に対応する背景映像を表示手段に表示させ、当該第１の楽曲のカラオケ演奏の中止後、当該表示手段の表示領域を分割し、分割した一の表示領域に当該第１の楽曲に対応する背景映像を引き続き表示させ、且つ分割した他の表示領域に当該第１の楽曲の次に予約された第２の楽曲に対応する背景映像を表示させる表示制御部と、を有するカラオケ装置である。
本発明の他の特徴については、後述する明細書及び図面の記載により明らかにする。
【発明の効果】
【０００９】
本発明によれば、楽曲が短縮演奏された場合であっても、当該楽曲の背景映像を最後まで鑑賞することができる。
【図面の簡単な説明】
【００１０】
【図１】第１実施形態に係るカラオケ装置を示す図である。
【図２】第１実施形態に係るカラオケ本体を示す図である。
【図３Ａ】第１実施形態に係る表示装置の表示領域を示した図である。
【図３Ｂ】第１実施形態に係る表示装置の表示領域を示した図である。
【図３Ｃ】第１実施形態に係る表示装置の表示領域を示した図である。
【図４】第１実施形態に係るカラオケ装置の処理を示すフローチャートである。
【図５】変形例に係る表示装置の表示領域を示した図である。
【図６】第２実施形態に係るカラオケ装置を示す図である。
【図７Ａ】第２実施形態に係る表示装置を示した図である。
【図７Ｂ】第２実施形態に係る表示装置を示した図である。
【図８】第２実施形態に係るカラオケ装置の処理を示すフローチャートである。
【発明を実施するための形態】
【００１１】
＜第１実施形態＞
図１〜図４を参照して、第１実施形態に係るカラオケ装置について説明する。
【００１２】
＝＝カラオケ装置＝＝
カラオケ装置は、カラオケ演奏やカラオケ歌唱を行うための装置である。カラオケ装置は、カラオケ店舗のカラオケルームに設置されている。
【００１３】
図１に示すように、カラオケ装置Ｋは、カラオケ本体１０、スピーカ２０、表示装置３０、マイク４０、及びリモコン装置５０を備える。
【００１４】
カラオケ本体１０は、カラオケ装置Ｋにおける各種の制御を行う。スピーカ２０は、カラオケ本体１０からの放音信号に基づいて音声を放音するための構成である。表示装置３０は、カラオケ本体１０からの信号に基づいて歌詞テロップや背景映像を画面に表示するための構成である。表示装置３０は「表示手段」に相当する。マイク４０は、利用者が発した音声をアナログの音声信号に変換してカラオケ本体１０に入力するための構成である。リモコン装置５０は、カラオケ本体１０に対する各種操作をおこなうための装置である。
【００１５】
図２に示すように、本実施形態に係るカラオケ本体１０は、記憶手段１０ａ、通信手段１０ｂ、入力手段１０ｃ、及び制御手段１０ｄを備える。各構成はインターフェース（図示なし）を介してバスＢに接続されている。
【００１６】
［記憶手段］
記憶手段１０ａは、各種のデータを記憶する大容量の記憶装置であり、たとえばハードディスクドライブなどである。
【００１７】
記憶部１０ａは、楽曲のカラオケ演奏を行うための楽曲データと、楽曲識別情報とを紐付けて記憶している。楽曲データは、伴奏データ、リファレンスデータ等を含む。伴奏データは、カラオケ演奏音の元となるデータである。リファレンスデータは、利用者によるカラオケ歌唱を採点するためのデータである。楽曲識別情報は、たとえば楽曲ＩＤのような、楽曲毎に設定された固有の情報である。
【００１８】
また、記憶部１０ａは、楽曲のカラオケ演奏に合わせて歌詞テロップを表示装置３０等に表示させるための歌詞テロップデータ、及びカラオケ演奏を行う際に表示装置３０等に表示される背景映像等の背景映像データ等を楽曲毎に記憶する。背景映像は、楽曲のカラオケ演奏に併せて設定されている。すなわち、カラオケ演奏が最後まで行われた場合に、背景映像も最後まで表示装置３０等に表示されることとなる。
【００１９】
［通信手段・入力手段］
通信手段１０ｂは、リモコン装置５０との通信を行うためのインターフェースを提供する。入力手段１０ｃは、利用者が各種の指示入力を行うための構成である。入力手段１０ｃは、カラオケ本体１０に設けられたボタン等である。或いは、リモコン装置５０が入力手段１０ｃとして機能してもよい。
【００２０】
［制御手段］
制御手段１０ｄは、カラオケ装置Ｋにおける各種の制御を行う。制御手段１０ｄは、ＣＰＵおよびメモリ（いずれも図示無し）を備える。ＣＰＵは、メモリに記憶されたプログラムを実行することにより各種の機能を実現する。
【００２１】
本実施形態においてはＣＰＵがメモリに記憶されるプログラムを実行することにより、制御手段１０ｄは、設定部１００、演奏制御部２００、及び表示制御部３００として機能する。
【００２２】
（設定部）
設定部１００は、予約された楽曲に対し、通常演奏モードまたは短縮演奏モードを設定する。
【００２３】
通常演奏モードは、楽曲のカラオケ演奏を最後まで行うモードである。短縮演奏モードは、楽曲のカラオケ演奏を途中で中止し、次に予約された楽曲のカラオケ演奏を開始するモードである。カラオケ演奏を中止するタイミングは、たとえば１コーラス終了後、１番のサビが終了後等、予め設定されている。なお、短縮演奏モードとして、カラオケ演奏を中止するタイミングが異なる複数のモードが準備されていてもよい。
【００２４】
たとえば、利用者Ｕ１及び利用者Ｕ２がカラオケ装置Ｋを利用するとする。利用者は、リモコン装置５０を介してカラオケ歌唱を希望する楽曲を選曲する。この際、利用者はリモコン装置５０を介して演奏モードの選択を行う。たとえば、利用者Ｕ１が楽曲Ｘ１、楽曲Ｘ２の順で選曲し、且つ楽曲Ｘ１について短縮演奏モードを選択し、楽曲Ｘ２について通常演奏モードを選択したとする。
【００２５】
この場合、カラオケ装置Ｋは、予約待ち行列に楽曲Ｘ１、楽曲Ｘ２の順で楽曲ＩＤを登録することで、楽曲の演奏予約を行う。この例において、楽曲Ｘ１は「第１の楽曲」に相当し、楽曲Ｘ２は「第２の楽曲」に相当する。
【００２６】
一方、設定部１００は、楽曲Ｘ１について短縮演奏モードを設定し、楽曲Ｘ２について通常演奏モードを設定する。
【００２７】
なお、利用者が演奏モードの選択を行わなかった場合、設定部１００は、予め決定されている条件（たとえば、通常演奏モードで演奏する）に基づいて、演奏モードを設定することができる。
【００２８】
（演奏制御部）
演奏制御部２００は、カラオケ装置Ｋにおけるカラオケ演奏の制御を行う。演奏制御部２００は、楽曲の伴奏データを記憶手段１０ａから読み出し、スピーカ２０からカラオケ演奏音を放音させる。
【００２９】
上記例において、演奏制御部２００は、予約待ち行列に登録されている楽曲Ｘ１の伴奏データを記憶手段１０ａから読み出し、スピーカ２０からカラオケ演奏音を放音させる。利用者Ｕ１は、カラオケ演奏に合わせてカラオケ歌唱を行うことができる。また、演奏制御部２００は、楽曲Ｘ１に設定されている短縮演奏モードに基づいて、楽曲Ｘ１のカラオケ演奏を途中で中止し、次に予約された楽曲Ｘ２のカラオケ演奏を開始する。
【００３０】
（表示制御部）
表示制御部３００は、カラオケ装置Ｋにおける各種表示制御を行う。たとえば、表示制御部３００は、楽曲のカラオケ演奏を行う際、当該楽曲に対応する背景映像を表示手段に表示させる。
【００３１】
ここで、本実施形態に係る表示制御部３００は、予約された第１の楽曲に対して短縮演奏モードが設定されている場合、当該第１の楽曲のカラオケ演奏中は当該第１の楽曲に対応する背景映像を表示手段に表示させる。また、表示制御部３００は、当該第１の楽曲のカラオケ演奏の中止後、当該表示手段の表示領域を分割し、分割した一の表示領域に当該第１の楽曲に対応する背景映像を引き続き表示させ、且つ分割した他の表示領域に当該第１の楽曲の次に予約された第２の楽曲に対応する背景映像を表示させる。
【００３２】
表示領域の分割は様々な方法で行うことができる。たとえば、表示制御部３００は、表示装置３０の表示画面を均等に２分割し、それぞれに異なる背景映像を表示させることができる。また、表示装置３０の表示画面を大きめの表示領域と小さめの表示領域に２分割し、現在カラオケ演奏が行われている楽曲に対応する背景映像を大きめの表示領域に表示させ、カラオケ演奏を中止した楽曲に対応する背景映像を小さめの表示領域に表示させてもよい。或いは、表示制御部３００は、全体の表示領域の一部を別の表示領域として設定し、カラオケ演奏を中止した楽曲に対応する背景映像を当該別の表示領域に表示させてもよい（所謂、ピクチャ・イン・ピクチャ）。本実施形態に係る表示領域の分割には、このようなピクチャ・イン・ピクチャも含まれる。なお、表示領域の分割は、現在カラオケ演奏が行われている楽曲の歌詞テロップを視認し易いように行われることが望ましい。
【００３３】
また、本実施形態に係る表示制御部３００は、第１の楽曲に対応する背景映像の終了後、表示領域の分割を終了し、第２の楽曲に対応する背景映像のみを表示手段に表示させる。表示制御部３００は、たとえば、第１の楽曲の長さ（すなわち、通常演奏モードにおける演奏時間）に基づいて、第１の楽曲に対応する背景映像の終了するタイミングを判断することができる。
【００３４】
上記例において、表示制御部３００は、楽曲Ｘ１のカラオケ演奏中、楽曲Ｘ１の背景映像データを記憶手段１０ａから読み出し、表示装置３０の表示領域Ｅに背景映像Ｂ１を表示させる（図３Ａ参照）。利用者Ｕ２は、利用者Ｕ１のカラオケ歌唱を聴きながら、背景映像Ｂ１を鑑賞することができる。なお、表示制御部３００は、楽曲Ｘ１の歌詞テロップデータに基づいて、背景映像Ｂ１に歌詞テロップを重ねて表示させる。利用者Ｕ１は、歌詞テロップを見ながらカラオケ歌唱を行うことができる。
【００３５】
ここで、楽曲Ｘ１は短縮演奏モードが設定されているため、演奏制御部２００は、楽曲Ｘ１のカラオケ演奏を途中で中止し、楽曲Ｘ２のカラオケ演奏を開始する。
【００３６】
楽曲Ｘ１のカラオケ演奏の中止後、表示制御部３００は、表示装置３０の表示領域Ｅを表示領域Ｅ１及び表示領域Ｅ２に分割し、表示領域Ｅ１に楽曲Ｘ１に対応する背景映像Ｂ１を引き続き表示させる。この場合、利用者Ｕ２は楽曲Ｘ１に対応する背景映像Ｂ１を鑑賞し続けることができる。
【００３７】
また、表示制御部３００は、楽曲Ｘ２のカラオケ演奏に併せて、表示領域Ｅ２に楽曲Ｘ２に対応する背景映像Ｂ２を表示させる（図３Ｂ参照）。この例において、表示領域Ｅ１は「一の表示領域」に相当し、表示領域Ｅ２は「他の表示領域」に相当する。
【００３８】
一方、楽曲Ｘ１に対応する背景映像Ｂ１が終了した場合、表示制御部３００は、表示領域の分割を終了し、楽曲Ｘ２に対応する背景映像Ｂ２を表示装置３０の表示領域Ｅ全体に表示させる（図３Ｃ参照）。
【００３９】
なお、表示制御部３００は、カラオケ演奏を行っていない楽曲に対応する背景映像を表示させる際には歌詞テロップの表示を省略することができる。たとえば、上記例において、表示制御部３００は、楽曲Ｘ１に対応する背景映像Ｂ１を表示領域Ｅ１に表示させる際には、楽曲Ｘ１の歌詞テロップの表示を省略することができる。またこの際、表示制御部３００は、カラオケ演奏を行っている楽曲Ｘ２の歌詞テロップデータに基づいて、表示領域Ｅ１に表示させる背景映像Ｂ１及び表示領域Ｅ２に表示させる背景映像Ｂ２の両方に歌詞テロップを重ねて表示させることができる。すなわち、表示制御部３００は、通常演奏モードと同じ様に表示領域Ｅ全体を使って楽曲Ｘ２の歌詞テロップの表示を行うことができる。
【００４０】
また、表示制御部３００は、上記例において表示領域Ｅ１を「他の表示領域」とし、表示領域Ｅ２を「一の表示領域」として背景映像を表示させてもよい。
【００４１】
＝＝カラオケ装置における処理について＝＝
次に、図４を参照して本実施形態に係るカラオケ装置Ｋにおける処理の具体例について述べる。図４は、カラオケ装置Ｋにおける処理例を示すフローチャートである。
【００４２】
利用者は、リモコン装置５０を介してカラオケ歌唱を希望する楽曲の選曲、及び演奏モードの選択を行う。ここでは、楽曲Ｘ１、楽曲Ｘ２の順で選曲されたとする。カラオケ装置Ｋは、楽曲Ｘ１、楽曲Ｘ２の順で予約待ち行列に登録する。設定部１００は、予約された楽曲Ｘ１及び楽曲Ｘ２に対し、選択された演奏モード（短縮演奏モードまたは通常演奏モード）を設定する（楽曲毎に演奏モードを設定。ステップ１０）。
【００４３】
演奏制御部２００は、最初に予約された楽曲Ｘ１のカラオケ演奏を開始する（楽曲Ｘ１のカラオケ演奏を開始。ステップ１１）。表示制御部３００は、楽曲Ｘ１に対応する背景映像Ｂ１を表示装置３０に表示させる（楽曲Ｘ１に対応する背景映像Ｂ１を表示。ステップ１２）。
【００４４】
楽曲Ｘ１に対して短縮演奏モードが設定されている場合（ステップ１３でＹの場合）、演奏制御部２００は、楽曲Ｘ１のカラオケ演奏を途中で中止する（楽曲Ｘ１のカラオケ演奏を途中で中止。ステップ１４）。
【００４５】
楽曲Ｘ１のカラオケ演奏の中止後、表示制御部３００は、表示装置３０の表示領域を分割する（表示領域の分割。ステップ１５）。
【００４６】
演奏制御部２００は、楽曲Ｘ２のカラオケ演奏を開始する（楽曲Ｘ２のカラオケ演奏を開始。ステップ１６）。
【００４７】
表示制御部３００は、分割した一の表示領域に楽曲Ｘ１に対応する背景映像Ｂ１を引き続き表示させる。また、表示制御部３００は、楽曲Ｘ２のカラオケ演奏に併せて、分割した他の表示領域に楽曲Ｘ２に対応する背景映像Ｂ２を表示させる（分割した表示領域それぞれに背景映像Ｂ１または背景映像Ｂ２を表示。ステップ１７）。
【００４８】
楽曲Ｘ１に対応する背景映像Ｂ１が終了した場合（ステップ１８でＹの場合）、表示制御部３００は、表示領域の分割を終了し、楽曲Ｘ２に対応する背景映像Ｂ２を表示装置３０の表示領域全体に表示させる（背景映像Ｂ２のみを表示。ステップ１９）。
【００４９】
なお、楽曲Ｘ１に対して短縮演奏モードが設定されていない場合（ステップ１３でＮの場合）、ステップ１４以降の処理は行わない。演奏制御部２００は、楽曲Ｘ１のカラオケ演奏を最後まで行い、その後、楽曲Ｘ２のカラオケ演奏を開始する。表示制御部３００は、楽曲Ｘ１のカラオケ演奏に併せて背景映像Ｂ１を最後まで表示させ、その後、楽曲Ｘ２のカラオケ演奏に併せて背景映像Ｂ２の表示を開始する。
【００５０】
以上から明らかなように、本実施形態に係るカラオケ装置Ｋは、楽曲のカラオケ演奏を行う際、当該楽曲に対応する背景映像を表示手段に表示させる。カラオケ装置Ｋは、予約された楽曲に対し、カラオケ演奏を最後まで行う通常演奏モード、または楽曲のカラオケ演奏を途中で中止し、次に予約された楽曲のカラオケ演奏を開始する短縮演奏モードを設定する設定部１００と、予約された第１の楽曲に対して短縮演奏モードが設定されている場合、第１の楽曲のカラオケ演奏中は当該第１の楽曲に対応する背景映像を表示装置３０に表示させ、第１の楽曲のカラオケ演奏の中止後、表示装置３０の表示領域を分割し、分割した一の表示領域に第１の楽曲に対応する背景映像を引き続き表示させ、且つ分割した他の表示領域に第１の楽曲の次に予約された第２の楽曲に対応する背景映像を表示させる表示制御部３００と、を有する。
【００５１】
このようなカラオケ装置Ｋによれば、短縮演奏モードが設定されている楽曲のカラオケ演奏が途中で中止された場合であっても、当該楽曲の背景映像は最後まで表示される。よって、背景映像を鑑賞している利用者は、背景映像を最後まで楽しむことができる。すなわち、本実施形態に係るカラオケ装置Ｋによれば、楽曲が短縮演奏された場合であっても、当該楽曲の背景映像を最後まで鑑賞することができる。
【００５２】
また、本実施形態に係るカラオケ装置Ｋの表示制御部３００は、第１の楽曲に対応する背景映像の終了後、表示領域の分割を終了し、第２の楽曲に対応する背景映像を表示装置３０に表示させる。このようなカラオケ装置Ｋによれば、先に予約された楽曲に対応する背景映像が終了した後、次に予約された楽曲に対応する背景映像を本来の表示画面の大きさで表示させることができる。よって、利用者は、次に予約された楽曲に対応する背景映像を鑑賞し易くなる。
【００５３】
＜変形例＞
表示制御部３００は、第１の楽曲に対応する背景映像が終了する前に第２の楽曲のカラオケ演奏が終了し、且つ第２の楽曲の次に予約された第３の楽曲のカラオケ演奏を開始する場合、当該第３の楽曲に対応する背景映像を他の表示領域に表示させることができる。
【００５４】
たとえば、カラオケ装置Ｋの予約待ち行列に、利用者Ｕ１が選曲した楽曲Ｘ１、楽曲Ｘ２、楽曲Ｘ３が、その順で登録されているとする。また、楽曲Ｘ１に対して短縮演奏モードが設定され、楽曲Ｘ２及び楽曲Ｘ３に対して通常演奏モードが設定されているとする。
【００５５】
ここで、楽曲Ｘ１の演奏時間が長い場合、楽曲Ｘ２のカラオケ演奏を最後まで行った時点で、未だ楽曲Ｘ１に対応する背景映像が終わっていないことがありうる。
【００５６】
そこで、演奏制御部２００が楽曲Ｘ２の次に予約された楽曲Ｘ３のカラオケ演奏を開始する場合、表示制御部３００は、楽曲Ｘ１に対応する背景映像Ｂ１を引き続き表示領域Ｅ１に表示させつつ、楽曲Ｘ３に対応する背景映像Ｂ３を表示領域Ｅ２に表示させることができる（図５参照）。
【００５７】
このようなカラオケ装置Ｋによれば、短縮演奏モードが設定された楽曲の演奏時間が長い場合であっても、対応する背景映像を最後まで表示することができる。
【００５８】
＜第２実施形態＞
次に図６〜図８を参照して、第２実施形態に係るカラオケ装置について説明する。本実施形態では、カラオケ装置Ｋが複数の表示手段を有する例について述べる。第１実施形態と同様の構成については説明を省略する。
【００５９】
＝＝カラオケ装置＝＝
図６に示すように、本実施形態に係るカラオケ装置Ｋは、カラオケ本体１０、スピーカ２０、表示装置３０ａ、表示装置３０ｂ、マイク４０、及びリモコン装置５０を備える。
【００６０】
表示装置３０ａ及び表示装置３０ｂは、カラオケ本体１０からの信号に基づいて歌詞テロップや背景映像を画面に表示するための構成である。この例において、表示装置３０ａは、表示装置３０ｂよりも表示領域が大きいメインモニタとして機能する。表示装置３０ｂは、サブモニタとして機能する。表示装置３０ａは「一の表示手段」に相当し、表示装置３０ｂは「他の表示手段」に相当する。
【００６１】
なお、同じ大きさの表示領域を有する２つの表示装置を使用してもよい。また、他の表示手段として、表示装置３０ｂの代わりに、カラオケ装置Ｋとペアリングされたリモコン装置５０や利用者が所有するスマートフォン等の携帯端末を使用してもよい。
【００６２】
（表示制御部）
本実施形態に係る表示制御部３００は、予約された第１の楽曲に対して短縮演奏モードが設定されている場合、当該第１の楽曲のカラオケ演奏中は当該第１の楽曲に対応する背景映像を一の表示手段に表示させ、当該第１の楽曲のカラオケ演奏の中止後、当該第１の楽曲の次に予約された第２の楽曲に対応する背景映像を当該一の表示手段に表示させ、当該一の表示手段とは異なる他の表示手段に当該第１の楽曲に対応する背景映像を引き続き表示させる。
【００６３】
上記例において、表示制御部３００は、楽曲Ｘ１のカラオケ演奏中、楽曲Ｘ１の背景映像データを記憶手段１０ａから読み出し、表示装置３０ａに背景映像Ｂ１を表示させる（図７Ａ参照）。利用者Ｕ２は、利用者Ｕ１のカラオケ歌唱を聴きながら、背景映像Ｂ１を鑑賞することができる。
【００６４】
ここで、楽曲Ｘ１は短縮演奏モードが設定されているため、演奏制御部２００は、楽曲Ｘ１のカラオケ演奏を途中で中止し、楽曲Ｘ２のカラオケ演奏を開始する。
【００６５】
楽曲Ｘ１のカラオケ演奏の中止後、表示制御部３００は、楽曲Ｘ２のカラオケ演奏に併せて、表示装置３０ａに楽曲Ｘ２に対応する背景映像Ｂ２を表示させる。
【００６６】
一方、表示制御部３００は、表示装置３０ｂに楽曲Ｘ１に対応する背景映像Ｂ１を引き続き表示させる（図７Ｂ参照）。この場合、利用者Ｕ２は楽曲Ｘ１に対応する背景映像Ｂ１を鑑賞し続けることができる。
【００６７】
＝＝カラオケ装置における処理について＝＝
次に、図８を参照して本実施形態に係るカラオケ装置Ｋにおける処理の具体例について述べる。図８は、カラオケ装置Ｋにおける処理例を示すフローチャートである。この例では、表示装置３０ａをメインモニタとし、表示装置３０ｂをサブモニタとして説明する。
【００６８】
ステップ２０及びステップ２１は、第１実施形態におけるステップ１０及びステップ１１と同様である。
【００６９】
表示制御部３００は、楽曲Ｘ１に対応する背景映像Ｂ１をメインモニタに表示させる（楽曲Ｘ１に対応する背景映像Ｂ１をメインモニタに表示。ステップ２２）。
【００７０】
楽曲Ｘ１に対して短縮演奏モードが設定されている場合（ステップ２３でＹの場合）、演奏制御部２００は、楽曲Ｘ１のカラオケ演奏を途中で中止する（楽曲Ｘ１のカラオケ演奏を途中で中止。ステップ２４）。
【００７１】
楽曲Ｘ１のカラオケ演奏の中止後、演奏制御部２００は、楽曲Ｘ２のカラオケ演奏を開始する（楽曲Ｘ２のカラオケ演奏を開始。ステップ２５）。
【００７２】
表示制御部３００は、楽曲Ｘ２に対応する背景映像Ｂ２をメインモニタに表示させる。また、表示制御部３００は、楽曲Ｘ１に対応する背景映像Ｂ１をサブモニタに表示させる。（背景映像Ｂ２をメインモニタ、背景映像Ｂ１をサブモニタに表示。ステップ２６）。
【００７３】
楽曲Ｘ１に対応する背景映像Ｂ１が終了した場合（ステップ２７でＹの場合）、表示制御部３００は、背景映像Ｂ２のみをメインモニタで表示させる（背景映像Ｂ２のみを表示。ステップ２８）。
【００７４】
以上から明らかなように、本実施形態に係るカラオケ装置Ｋは、楽曲のカラオケ演奏を行う際、当該楽曲に対応する背景映像を表示手段に表示させる。カラオケ装置Ｋは、予約された楽曲に対し、カラオケ演奏を最後まで行う通常演奏モード、または楽曲のカラオケ演奏を途中で中止し、次に予約された楽曲のカラオケ演奏を開始する短縮演奏モードを設定する設定部１００と、予約された第１の楽曲に対して短縮演奏モードが設定されている場合、第１の楽曲のカラオケ演奏中は第１の楽曲に対応する背景映像を表示装置３０ａに表示させ、第１の楽曲のカラオケ演奏の中止後、第１の楽曲の次に予約された第２の楽曲に対応する背景映像を表示装置３０ａに表示させ、表示装置３０ａとは異なる表示装置３０ｂに当該第１の楽曲に対応する背景映像を引き続き表示させる表示制御部３００と、を有する。
【００７５】
このようなカラオケ装置Ｋによれば、短縮演奏モードが設定されている楽曲のカラオケ演奏が途中で中止された場合であっても、他の表示手段において、当該楽曲の背景映像が最後まで表示される。よって、背景映像を鑑賞している利用者は、カラオケ演奏されている楽曲に対応する背景映像が表示されている表示手段とは異なる表示手段において、背景映像を最後まで楽しむことができる。すなわち、本実施形態に係るカラオケ装置Ｋによれば、楽曲が短縮演奏された場合であっても、当該楽曲の背景映像を最後まで鑑賞することができる。
【００７６】
＜その他＞
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００７７】
１００  設定部
２００  演奏制御部
３００  表示制御部
Ｋ  カラオケ装置
【要約】
【課題】楽曲が短縮演奏された場合であっても、当該楽曲の背景映像を最後まで鑑賞することが可能なカラオケ装置を提供する。
【解決手段】予約された楽曲に対し、通常演奏モードまたは短縮演奏モードを設定する設定部、予約された第１の楽曲に対して短縮演奏モードが設定されている場合、第１の楽曲のカラオケ演奏中は第１の楽曲に対応する背景映像を表示手段に表示させ、第１の楽曲のカラオケ演奏の中止後、表示手段の表示領域を分割し、分割した一の表示領域に第１の楽曲に対応する背景映像を引き続き表示させ、且つ分割した他の表示領域に第１の楽曲の次に予約された第２の楽曲に対応する背景映像を表示させる表示制御部を有するカラオケ装置。
【選択図】図２【図１】
0006876169.tif 000002
【図２】
0006876169.tif 000003
【図３Ａ】
0006876169.tif 000004
【図３Ｂ】
0006876169.tif 000005
【図３Ｃ】
0006876169.tif 000006
【図４】
0006876169.tif 000007
【図５】
0006876169.tif 000008
【図６】
0006876169.tif 000009
【図７Ａ】
0006876169.tif 000010
【図７Ｂ】
0006876169.tif 000011
【図８】
0006876169.tif 000012